(57)【要約】【課題】より取り付け自由度の高い照明器具を提供する。【解決手段】照明器具１０は、灯具１と、電源収納部２と、アーム部３と、を備えている。アーム部３は、長手方向の第１端部３ａが電源収納部２に保持される。アーム部３は、第１端部３ａと反対の第２端部３ｂが灯具１を保持する。電源収納部２は、接点部材４と、取付部材５と、を有している。接点部材４は、配線ダクト２０に保持されるように構成されている。取付部材５は、電源収納部２を取付面２１ａａに取り付けることができるように構成されている。接点部材４は、第１面２ａａに設けられている。取付部材５は、第２面２ａｂに設けられる。【選択図】図１
2016167367.tif 000002
【特許請求の範囲】
【請求項１】
灯具と、
該灯具に電力を供給する電源部を収納した電源収納部と、
長尺状に形成されており長手方向の第１端部が前記電源収納部に保持され前記第１端部と反対の第２端部が前記灯具を保持するアーム部と、を備え、
前記電源収納部は、第１面と、該第１面に対向する第２面とを有する箱状の外形形状をしており、
前記アーム部は、前記第１面よりも前記第２面に近い第１位置と、前記第２面よりも前記第１面に近い第２位置とに前記灯具を変位可能に配置させるように、前記電源収納部に対して前記第１端部が回転可能に構成されており、
さらに、前記電源収納部は、配線ダクトに保持され該配線ダクトから前記電源部に給電させる接点部材と、前記電源収納部を取付面に取り付ける取付部材と、を有しており、
前記接点部材は、前記第１面に設けられ、前記取付部材は、前記第２面に設けられることを特徴とする照明器具。
【請求項２】
前記電源収納部は、前記第１面と前記第２面とに交わる側面に沿って、前記アーム部を収納する収納溝を備えていることを特徴とする請求項１に記載の照明器具。
【請求項３】
前記アーム部は、前記灯具に対して前記第２端部が回転可能に構成されていることを特徴とする請求項１または請求項２に記載の照明器具。
【発明の詳細な説明】
【技術分野】
【０００１】
本発明は、照明器具に関し、特に、配線ダクトに取り付けることが可能な照明器具に関する。
【背景技術】
【０００２】
従来、天井面に固定された配線ダクトの所望の位置に取り付け自在な照明器具が利用されている。
【０００３】
この種の照明器具としては、灯体と、筐体と、アームとを備えたスポットライトが知られている（たとえば、特許文献１を参照）。
【０００４】
特許文献１のスポットライトでは、灯体を点灯させる安定器が筐体に収容されている。アームは、筐体から延出されている。アームは、灯体と接続されている。筐体は、安定器に給電するプラグを備えている。プラグは、配線ダクトと接続できるように、筐体の外部に露出している。スポットライトは、配線ダクトとプラグとを接続させて、給電と取り付けとを行うことができるように構成されている。照明器具は、天井面に固定された配線ダクトに取り付けることで、天井面に直接的に取り付ける場合と比較して、レイアウトの自由度を高めることができる。
【先行技術文献】
【特許文献】
【０００５】
【特許文献１】特開２００８−２９３８６０号公報
【発明の概要】
【発明が解決しようとする課題】
【０００６】
ところで、照明器具は、天井面や壁面などに固定しても利用されている。照明器具は、光源が収納される灯具や光源に給電する電源部の構造が同一であるにも関わらず、天井面に取り付ける構造、若しくは配線ダクトに取り付ける構造ごとに複数の種類が必要で、多品種となっている。照明器具は、設置後に天井面から配線ダクトへ、配線ダクトから天井面への取り付けの変更が望まれる場合もある。照明器具は、より取り付け自由度が高い構成が求められており、上述の特許文献１の構成だけでは十分ではなく、更なる改良が求められている。
【０００７】
本発明の目的は、より取り付け自由度の高い照明器具を提供することにある。
【課題を解決するための手段】
【０００８】
本発明の照明器具は、灯具と、電源収納部と、アーム部と、を備えている。上記電源収納部は、電源部を収納できるように構成されている。上記電源部は、上記灯具に電力を供給できるように構成されている。上記アーム部は、長尺状の外形形状に形成されている。上記アーム部は、長手方向の第１端部が上記電源収納部に保持される。上記アーム部は、上記第１端部と反対の第２端部が上記灯具を保持する。上記電源収納部は、箱状の外形形状をしている。上記電源収納部は、第１面と、当該第１面に対向する第２面とを有している。上記アーム部は、上記電源収納部に対して上記第１端部が回転可能に構成されている。上記アーム部は、上記第１面よりも上記第２面に近い第１位置と、上記第２面よりも上記第１面に近い第２位置とに上記灯具を変位可能に配置させることができる。さらに、上記電源収納部は、接点部材と、取付部材と、を有している。上記接点部材は、配線ダクトに保持されるように構成されている。上記接点部材は、上記配線ダクトから上記電源部に給電させるように構成されている。上記取付部材は、上記電源収納部を取付面に取り付けることができるように構成されている。上記接点部材は、上記第１面に設けられている。上記取付部材は、上記第２面に設けられることを特徴とする。
【発明の効果】
【０００９】
本発明の照明器具は、より取り付け自由度を高くすることができる、という効果がある。
【図面の簡単な説明】
【００１０】
【図１】図１は、実施形態の照明器具の異なる取り付け状態を説明する説明図である。
【図２】図２は、実施形態の照明器具を説明する斜視図である。
【図３】図３は、実施形態の照明器具を示す別の斜視図である。
【図４】図４は、実施形態の照明器具の要部を説明する断面図である。
【図５】図５は、実施形態の照明器具を示す分解斜視図である。
【発明を実施するための形態】
【００１１】
以下では、本実施形態の照明器具１０について、図１ないし図５を参照しながら説明する。図中において、同じ部材に対しては、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明器具１０は、図１ないし図３に示すように、灯具１と、電源収納部２と、アーム部３と、を備えている。電源収納部２は、図４に示すように、電源部２ａを収納できるように構成されている。電源部２ａは、灯具１に電力を供給できるように構成されている。アーム部３は、長尺状の外形形状に形成されている。アーム部３は、長手方向の第１端部３ａが電源収納部２に保持される。アーム部３は、第１端部３ａと反対の第２端部３ｂが灯具１を保持する。電源収納部２は、箱状の外形形状をしている。電源収納部２は、第１面２ａａと、第１面２ａａに対向する第２面２ａｂとを有する。アーム部３は、電源収納部２に対して第１端部３ａが回転可能に構成されている。アーム部３は、第１面２ａａよりも第２面２ａｂに近い第１位置と、第２面２ａｂよりも第１面２ａａに近い第２位置とに灯具１を変位可能に配置させることができる。図１では、第１の位置にある照明器具１０を実線で図示し、第２の位置にある照明器具１０を二点鎖線で図示している。図１では、灯具１を変位させるアーム部３の方向を両矢印で示している。さらに、電源収納部２は、接点部材４と、取付部材５と、を有している。接点部材４は、配線ダクト２０に保持されるように構成されている。接点部材４は、配線ダクト２０から電源部２ａに給電させるように構成されている。取付部材５は、電源収納部２を取付面２１ａａに取り付けることができるように構成されている。接点部材４は、第１面２ａａに設けられている。取付部材５は、第２面２ａｂに設けられる。
【００１３】
本実施形態の照明器具１０は、配線ダクト２０に保持される接点部材４が電源収納部２の第１面２ａａに設けられ、かつ取付面２１ａａに取り付ける取付部材５が電源収納部２の第２面２ａｂに設けられる構成で、より取り付け自由度を高くすることができる。
【００１４】
以下では、照明器具１０の具体的な構成について説明する。
【００１５】
灯具１は、光源１ｅを収納可能な構成としている。灯具１は、箱状の外形形状に形成することができる。灯具１は、図２に示すように、レンズ１ａと、ボディ部１ｂとを備えている。ボディ部１ｂは、光源収納部１ｃと、レンズ保持部１ｄと、突出部１ｆとを備えている。光源収納部１ｃは、有底円筒状の外形形状をしている。レンズ保持部１ｄは、円筒状の外形形状をしている。レンズ保持部１ｄは、光源収納部１ｃの開口端から延出するように設けられている。レンズ保持部１ｄは、光源収納部１ｃよりも大きく形成されている。光源収納部１ｃは、内部に光源１ｅを収納できるように構成されている。光源１ｅは、ＬＥＤユニットを用いている。光源１ｅは、灯具１に固定されている。光源１ｅは、ＬＥＤユニットだけに限られず、放電灯などを利用することもできる。灯具１は、光源１ｅを取り換え可能な構成することができる。光源収納部１ｃは、光源１ｅとして、放電灯を収納する場合、放電灯に給電するソケットを備えた構成とすることができる。灯具１は、ソケットにより放電灯を取り換え可能に構成することができる。
【００１６】
レンズ保持部１ｄは、ボディ部１ｂの開口を塞ぐように構成されている。レンズ保持部１ｄは、光源１ｅの前方にレンズ１ａを配置できるように構成されている。レンズ１ａは、平凸レンズを用いることができる。レンズ１ａは、正面視において、円板状の外形形状をしている。灯具１は、光源１ｅからの光をレンズ１ａで集光させることで、所定の配向特性が得られるように構成されている。突出部１ｆは、ボディ部１ｂの外側面から突出している。突出部１ｆは、円柱状の外形形状をしている。突出部１ｆは、円柱状の外周面がボディ部１ｂと接するように設けられている。突出部１ｆは、アーム部３の第２端部３ｂに保持される。突出部１ｆは、軸方向に貫通する第１貫通孔を備えている。突出部１ｆは、第１貫通孔に挿通された第１ボルトの軸部１ｖが第２端部３ｂの第２貫通孔３ｂａに挿通されることで、アーム部３に保持される。ボディ部１ｂは、光源収納部１ｃ、レンズ保持部１ｄ、突出部１ｆをアルミダイカストで一体的に形成することができる。ボディ部１ｂの材料は、たとえば、アルミニウムだけに限られず、ポリカーボネート樹脂などの合成樹脂材料を用いることができる。レンズ１ａの材料は、ガラス、アクリル樹脂などの透光性材料を用いることができる。
【００１７】
電源収納部２は、矩形箱状の外形形状に形成されている。電源収納部２は、図４に示すように、端子台２ｂと、電源部２ａと、が内部に収納されている。電源収納部２は、底部２ｓと、側壁部２ｔと、を備えている。底部２ｓは、平面視が長方形状の外形形状をしている。側壁部２ｔは、底部２ｓの各辺からそれぞれ立ち上がるように構成されている。電源収納部２は、端子台２ｂと電源部２ａとを内部に収納できるように、底部２ｓと側壁部２ｔとで一面が開口した箱状の外形形状をしている。電源収納部２は、開口を塞ぐように蓋体６が設けられている。電源収納部２では、底部２ｓは、厚み方向に突出するボス２ｕを備えている。ボス２ｕは、先端部に螺子孔を備えている。ボス２ｕは、底部２ｓの内部に向かって突出する第１ボス２ｕ１と、外部に向かって突出する第２ボス２ｕ２とを備えている。第１ボス２ｕ１は、電源部２ａを第１螺子５ｃより固定することができるように構成されている。端子台２ｂは、図１に示すように、螺子より底部２ｓに固定することができる。端子台２ｂは、天井面や壁面などの取付面２１ａａ側から引き込まれる電源ケーブル２ｃと、電源部２ａからの接続ケーブル２ｐとを結線できるように構成されている。電源部２ａは、たとえば、ＡＣ−ＤＣコンバータを用いて構成することができる。電源部２ａは、光源１ｅの種類に合わせて種々の構成とすることができる。電源部２ａは、外部の商用交流電源からの交流電力を、光源１ｅの点灯に適合する直流電力に変換する。電源部２ａは、電力変換した電力を給電線２ｄを介して灯具１に供給する。電源収納部２は、アーム部３を収納する収納溝２ｍを設けている。
【００１８】
電源収納部２は、第１面２ａａと第２面２ａｂとに交わる側面２ａｃに沿って、アーム部３を収納する収納溝２ｍを備えていることが好ましい。収納溝２ｍは、第１面２ａａから第２面２ａｂに連なるように設けられることで、アーム部３の長手方向を側壁部２ｔに沿って収納させることができる。
【００１９】
電源収納部２は、第１面２ａａと第２面２ａｂとに交わる側面２ａｃに沿って、アーム部３を収納する収納溝２ｍを備えていることで、灯具１を配置させる自由度を高めることが可能となる。
【００２０】
電源収納部２は、収納溝２ｍにおいて、対向する内側面２ｎの一方から突出する軸受部２ｋを備えている。軸受部２ｋは、円柱状の外形形状をしている。軸受部２ｋは、軸方向に窪んだ凹所を備えている。電源収納部２は、側面視において、軸受部２ｋを第１面２ａａよりも第２面２ａｂ側に設けている。電源収納部２は、側面視において、軸受部２ｋを第２面２ａｂよりも第１面２ａａ側に設けてもよい。電源収納部２は、側面視において、軸受部２ｋを第１面２ａａと第２面２ａｂとの中間に設けてもよい。電源収納部２は、側面視において、第１面２ａａと第２面２ａｂとの中間に軸受部２ｋを設けることで、第１面２ａａまたは第２面２ａｂから突出するアーム部３全体の長さをいずれも同様の長さとすることができる。
【００２１】
電源収納部２は、放熱部２ｈを備えた構成とすることができる。放熱部２ｈは、電源収納部２の側壁部２ｔから外部に突出するように設けられている。電源収納部２は、底部２ｓと側壁部２ｔと放熱部２ｈとを一体的に形成することができる。電源収納部２は、アルミニウムダイカストで形成することができる。電源収納部２の材料としては、たとえば、アルミニウムだけに限られず、ステンレスなどの金属材料を用いることもできる。電源収納部２の材料としては、金属材料を用いるだけでなく、樹脂材料を用いてもよい。
【００２２】
アーム部３は、長尺状の内部が中空の筒状に形成することができる。アーム部３は、内部に給電線２ｄを挿通させることができる。給電線２ｄは、電源収納部２の電源部２ａと、灯具１の光源１ｅと、を電気的に接続させることができるように構成されている。アーム部３は、第１端部３ａを電源収納部２に対して、回転できるように構成されている。アーム部３は、第１端部３ａから突出する突起が、電源収納部２における軸受部２ｋの上記凹所に嵌め込まれる。アーム部３は、第１端部３ａの突起が軸受部２ｋの上記凹所に嵌め合わせられることで、アーム部３を電源収納部２に対して回転可能に保持することができる。アーム部３は、第２端部３ｂの第２貫通孔３ｂａに挿通される軸部１ｖを回転軸として、アーム部３に保持された灯具１の向きを、アーム部３に対して回転できるように構成されている。
【００２３】
アーム部３は、第２端部３ｂにおいて、ボディ部１ｂの外周面から突出した突出部１ｆを保持できるように構成されている。アーム部３は、灯具１の突出部１ｆを保持する構成だけに限られない。アーム部３は、第２端部３ｂにおいて、ボディ部１ｂのレンズ１ａと反対の背面が窪んだ凹部で保持できるように構成してもよい。アーム部３は、Ｃ字状の挟み持ち部で灯具１の側壁を挟み持つことができるように構成してもよい。
【００２４】
第２端部３ｂは、アーム部３に対して、アーム部３と灯具１とが相対的に変位できるように構成できればよい。アーム部３は、第２端部３ｂから突出する円柱状の軸部１ｖを灯具１に設けた孔部に挿通して回転できるように構成してもよい。アーム部３は、灯具１に対して回転する位置を規制するストッパを設けた構成とすることができる。第２端部３ｂは、灯具１に接触する弾性部を備えた構成とすることもできる。弾性部は、灯具１に弾接して、灯具１の回転を抑制するように構成することができる。弾性部は、たとえば、板ばね、コイルばね、もしくはゴム材などを用いることができる。
【００２５】
言い換えれば、アーム部３は、灯具１に対して第２端部３ｂが回転可能に構成されていることが好ましい。
【００２６】
照明器具１０は、灯具１に対して第２端部３ｂが回転可能に構成されていることで、灯具１の向きを比較的自由に設定することができる。
【００２７】
アーム部３は、アーム部３に保持された灯具１の向きを、鉛直方向の上下方向に沿った動きだけでなく、水平方向に沿って適宜に変更させる構成としてもよい。アーム部３の材料としては、たとえば、ステンレスなどの金属材料を用いて形成することができる。アーム部３の材料としては、金属材料だけに限られず、樹脂材料を用いてもよい。
【００２８】
アーム部３は、長手方向に伸縮可能な構造とすることもできる。アーム部３は、たとえば、第１円筒部と、第１円筒部の内部に収納される第２円筒部とを備えた構成とすることができる。アーム部３は、長手方向に沿って、第２円筒部と第１円筒部とを相対的に移動可能に構成することで、伸縮可能な構造とすることができる。
【００２９】
接点部材４は、蓋体６に設けられている。接点部材４は、配線ダクト２０に機械的に引っ掛けて止めることができるように構成されている。接点部材４は、配線ダクト２０に沿った所望の位置に照明器具１０を取り付けることができるように構成されている。配線ダクト２０は、図２に示すように、本体部２０ａと、導体部２０ｂとを備えた構成とすることができる。本体部２０ａは、長尺状の外形形状に形成されている。本体部２０ａは、長手方向と直交する断面視において、Ｃ字状の外形形状をしている。配線ダクト２０は、Ｃ字状の先端が互いに近づく向きに突出する第１突出部２０ｃと、第２突出部２０ｄとを備えている。導体部２０ｂは、長手方向に沿って、板状の第１導体部２０ｅと、板状の第２導体部２０ｆとが対向して配置されている。
【００３０】
接点部材４は、レバー４ａと、柱状体４ｃと、第１突部４ｄと、第２突部４ｅと、第１導電板４ｆと、第２導電板４ｇと、を有している。柱状体４ｃは、円柱状の外形形状をしている。柱状体４ｃは、電源収納部２に対して、第１面２ａａと平行な方向に沿って回転することができるように構成されている。レバー４ａは、柱状体４ｃを電源収納部２の第１面２ａａに沿って回転できるように、柱状体４ｃの外周から突出している。柱状体４ｃは、電気絶縁性を有している。柱状体４ｃは、たとえば、樹脂材料により構成することができる。第１突部４ｄは、柱状体４ｃの中間から高さ方向と直交する方向に突出している。第２突部４ｅは、柱状体４ｃの中間から高さ方向と直交する方向に突出している。第１突部４ｄは、平板状の外形形状をしている。第２突部４ｅは、平板状の外形形状をしている。第１突部４ｄと第２突部４ｅとは、平面視において、柱状体４ｃを介して対向するように配置されている。
【００３１】
第１導電板４ｆは、柱状体４ｃの先端から高さ方向と直交する方向に突出している。第２導電板４ｇは、柱状体４ｃの先端から高さ方向と直交する方向に突出している。第１導電板４ｆは、矩形平板状の外形形状をしている。第２導電板４ｇは、矩形平板状の外形形状をしている。第１導電板４ｆと第２導電板４ｇとは、第１突部４ｄと第２突部４ｅと同じ方向に突出している。第１導電板４ｆと第２導電板４ｇとは、電気的に絶縁されている。第１導電板４ｆと第２導電板４ｇとは、配線ダクト２０のＣ字状の開口に挿入することができるように構成されている。第１導電板４ｆと第２導電板４ｇとは、レバー４ａを第１面２ａａに沿って回転させることで、配線ダクト２０から第１導電板４ｆと第２導電板４ｇとの間に給電されるように構成されている。第１導電板４ｆは、配線ダクト２０の第１導体部２０ｅまたは第２導体部２０ｆのいずれか一方と電気的に接続することができるように構成されている。第２導電板４ｇは、配線ダクト２０の第２導体部２０ｆまたは第１導体部２０ｅのいずれか他方と電気的に接続することができるように構成されている。接点部材４は、配線ダクト２０から電源部２ａへ電力を受ける受電部を構成している。
【００３２】
接点部材４は、配線ダクト２０の第１導体部２０ｅと第１突出部２０ｃとの間に、第１突部４ｄ若しくは第２突部４ｅのいずれか一方が挟持されるように構成されている。接点部材４は、配線ダクト２０の第２導体部２０ｆと第２突出部２０ｄとの間に、第２突部４ｅ若しくは第１突部４ｄのいずれか他方が挟持されるように構成されている。接点部材４は、第１突部４ｄと第２突部４ｅとを用いて配線ダクト２０に保持される。電源収納部２は、第１突部４ｄと第２突部４ｅとに加えて、配線ダクト２０に保持できるように仮保持部６ａを備えていることが好ましい。仮保持部６ａは、蓋体６から突出している。
【００３３】
仮保持部６ａは、柱体６ｂと、保持体６ｃとを備えている。保持体６ｃは、配線ダクト２０に挿入された後、電源収納部２を配線ダクト２０の長手方向に沿った方向に配置させることで、配線ダクト２０に保持されるように構成されている。照明器具１０では、仮保持部６ａを配線ダクト２０に保持させた後、レバー４ａを配線ダクト２０の長手方向に沿った方向に回転させることで、配線ダクト２０に接点部材４が保持される。接点部材４は、仮保持部６ａを配線ダクト２０に保持させた後、レバー４ａを配線ダクト２０の長手方向に沿った方向に配置させることで、配線ダクト２０の導体部２０ｂと電気的に接続されるように構成されている。
【００３４】
仮保持部６ａは、柱体６ｂと保持体６ｃとが電源収納部２に対して固定された構造だけに限られない。仮保持部６ａは、第１導電板４ｆと第２導電板４ｇとを有していない以外、接点部材４と同様の構成とすることもできる。言い換えれば、仮保持部６ａは、レバーと、柱状体と、第１突部と、第２突部とを備えた構成とすることができる。仮保持部６ａは、第１突部と、第２突部とを配線ダクト２０に挿入させた後、レバーを回転させることで仮保持部６ａが配線ダクト２０に保持される構成としてもよい。
【００３５】
取付部材５は、電源収納部２を取付面２１ａａに取り付けることができるように構成されている。取付部材５は、図５に示すように、第１取付部５ａと、第２取付部５ｂとを備えている。第１取付部５ａと第２取付部５ｂとは、取り付けと取り外しができるように構成されている。第１取付部５ａは、有底角筒状の外形形状をしている。第１取付部５ａは、長方形状の第１底板５ａ１と、第１底板５ａ１から立ち上がれる第１側板５ａ２とを備えている。第１底板５ａ１は、四隅に第１孔部５ａａを備えている。第１底板５ａ１は、中央部に第１開口部５ａｂを備えている。第１孔部５ａａは、第１底板５ａ１の厚み方向に貫通している。第１取付部５ａは、第１底板５ａ１の第１孔部５ａａを挿通する第２螺子５ｄを用いて、電源収納部２の第２面２ａｂ側に取り付けることができるように構成されている。第１取付部５ａは、第１側板５ａ２を電源収納部２に向けた状態で、電源収納部２に収納できるように構成されている。第１取付部５ａは、第２螺子５ｄを用いて電源収納部２に固定することができる。第１側板５ａ２は、厚み方向に貫通する第２孔部５ａｃを備えている。第１側板５ａ２は、第１底板５ａ１の長手方向に沿って、複数の第２孔部５ａｃを備えている。第１取付部５ａは、電源収納部２に取り付けられた状態で、第１開口部５ａｂから電源収納部２の端子台２ｂが外部に露出するように設けられている。第１取付部５ａは、端子台２ｂを使用しない場合、図３および図４に示すように、蓋部８により塞がれる構成としている。蓋部８は、第１取付部５ａと嵌め合わせることができる矩形状平板状の外形形状とすればよい。蓋部８は、たとえば、合成樹脂やゴムなどにより形成することができる。
【００３６】
第２取付部５ｂは、第１取付部５ａよりも若干小さい有底角筒状の外形形状をしている。第２取付部５ｂは、第１取付部５ａの内部に収納されるように構成されている。取付部材５は、第２取付部５ｂが第１取付部５ａに収納された状態で、内部に空間が形成できるように構成されている。第２取付部５ｂは、長方形状の第２底板５ｂ１と、第２底板５ｂ１から立ち上がる第２側板５ｂ２とを備えている。第２取付部５ｂは、中央部に第２開口部５ｂｂを備えている。第２開口部５ｂｂは、図１に示すように、取付面２１ａａ側からの電源ケーブル２ｃを挿入できるように構成されている。第２側板５ｂ２は、厚み方向に貫通する第３孔部５ｂａを備えている。第２側板５ｂ２は、第２底板５ｂ１の長手方向に沿って、複数の第３孔部５ｂａを備えている。第１取付部５ａと第２取付部５ｂとは、第１取付部５ａに第２取付部５ｂが収納された状態で、第１側板５ａ２の第２孔部５ａｃと、第２側板５ｂ２の第３孔部５ｂａとが対向するように設けられている。取付部材５は、第２孔部５ａｃと、第３孔部５ｂａとを挿通する第３螺子５ｍより、第１取付部５ａと第２取付部５ｂとを固定することができるように構成されている。取付部材５の材料は、たとえば、ステンレスや鋼板などの金属材料、若しくはＰＢＴ（polybutylene terephthalate）樹脂などの合成樹脂材料を用いることができる。
【００３７】
照明器具１０は、第１取付部５ａと第２取付部５ｂとを備えた取付部材５により、電源収納部２を天井面や壁面などの取付面２１ａａに取り付ける構成だけには限られない。照明器具１０は、取付面２１ａａにねじ止めにより直接的に固定する構成としてもよい。照明器具１０は、たとえば、取付部材５として、引掛シーリングに電気的かつ機械的に接続させる栓刃を備えた構成としてもよい。
【００３８】
カバー部７は、第１面２ａａに着脱自在に取付けられるように構成されている。カバー部７は、平面視において、矩形状の底板７ａと、底板７ａの周部から立ち上がる側板７ｂとを備えている。カバー部７は、電源収納部２の第１面２ａａ側に取り付けることができるように構成されている。カバー部７は、接点部材４や仮保持部６ａを覆って収納する収納部７ｃを備えている。カバー部７は、側板７ｂに切り欠き部７ｄを備えている。カバー部７は、側板７ｂが蓋体６と側壁部２ｔとの隙間で構成された枠溝２ｎａに収納できるように構成されている。カバー部７は、図４に示すように、側板７ｂが電源収納部２の枠溝２ｎａに収納された状態で、電源収納部２の第１面２ａａ側に取り付けることができる。図４における白抜きの矢印は、カバー部７の電源収納部２への取り付け方向を示している。カバー部７は、側板７ｂが電源収納部２の枠溝２ｎａに収納された状態で、切り欠き部７ｄからレバー４ａを突出させることができるように構成されている。
【００３９】
以下では、本実施形態の照明器具１０の取付工程ついて説明する。
【００４０】
照明器具１０では、接点部材４および仮保持部６ａを介して、配線ダクト２０に取り付けることができる。接点部材４は、接続コード２ｑを介して、電源部２ａと電気的に接続されている。照明器具１０の取付工程では、配線ダクト２０に接点部材４を取り付ける場合、仮保持部６ａを配線ダクト２０に機械的に仮保持させる。次に、取付工程では、接点部材４を配線ダクト２０に挿入する。取付工程では、レバー４ａを電源収納部２の第１面２ａａと平行に電源収納部２に対して回転させることで、接点部材４を配線ダクト２０に保持させることができる。照明器具１０では、電源収納部２の第１面２ａａを配線ダクト２０に取り付けることができる。
【００４１】
照明器具１０は、第１面２ａａを配線ダクト２０に取り付ける場合、第２面２ａｂの第１開口部５ａｂから端子台２ｂが外部に露出するため、見栄えが悪くなる。照明器具１０では、電源収納部２の取り付けに先立って、蓋部８により第１開口部５ａｂを塞いで第１側板５ａ２を電源収納部２に向けた状態で、第１取付部５ａを電源収納部２に固定することで、見栄えを良くすることができる。
【００４２】
次に、電源収納部２の第２面２ａｂを取付面２１ａａに取り付ける取付工程について説明する。
【００４３】
照明器具１０は、取付部材５を介して、電源収納部２を取付面２１ａａに取り付けることができる。取付工程では、予め取付部材５の第２取付部５ｂを取付面２１ａａに螺子で固定する。第２取付部５ｂは、取付面２１ａａから第２側板５ｂ２が突出する向きに固定されている。第１取付部５ａは、外部に向かって第１側板５ａ２が突出するように電源収納部２に固定されている。第２取付部５ｂは、取付面２１ａａ側からの電源ケーブル２ｃを第２開口部５ｂｂに挿通させる。取付工程では、第２取付部５ｂの第２開口部５ｂｂから挿通された電源ケーブル２ｃを、第１取付部５ａの第１開口部５ａｂから露出する端子台２ｂと電気的に接続させる。取付工程では、端子台２ｂと電源ケーブル２ｃとを接続させた状態で、第１取付部５ａと第２取付部５ｂとの間の収納空間に電源ケーブル２ｃの余剰分を収納させる。取付工程では、電源ケーブル２ｃの余剰分を取付部材５に収納させた上で、取付面２１ａａに取り付けられた第２取付部５ｂに、電源収納部２に固定された第１取付部５ａを嵌め合わせる。取付工程では、第１取付部５ａと、第２取付部５ｂとを嵌め合わせた状態で、第２螺子５ｄで固定することで、照明器具１０の第２面２ａｂを取付面２１ａａに取り付けることができる。
【００４４】
照明器具１０は、電源収納部２の第２面２ａｂ側を取付面２１ａａに取り付ける場合、第１面２ａａの接点部材４や仮保持部６ａが外部に露出するため、見栄えが悪くなる。照明器具１０では、電源収納部２の取り付けに先立って、第１面２ａａ側にカバー部７を被せることで、見栄えを良くすることができる。
【符号の説明】
【００４５】
１  灯具
２  電源収納部
２ａ  電源部
２ａａ  第１面
２ａｂ  第２面
２ａｃ  側面
２ｍ  収納溝
３  アーム部
３ａ  第１端部
３ｂ  第２端部
４  接点部材
５  取付部材
１０  照明器具
２０  配線ダクト
２１ａａ  取付面
【図１】
2016167367.tif 000003
【図２】
2016167367.tif 000004
【図３】
2016167367.tif 000005
【図４】
2016167367.tif 000006
【図５】
2016167367.tif 000007